(57)【特許請求の範囲】
【請求項１】
測量機と、測定点付近にある測定点側装置と、を備え、
前記測量機は、プリズムまでの測距を行う測量機側測距部および測角を行う測角部と、プリズム撮像部と、プリズムを含む周囲風景を撮影する画像撮像部と、を有し、
前記測定点側装置は、前記プリズムと、前記測定点を指し示すポインタと、前記測定点までの距離を測定する装置側測距部と、視線方向からの傾斜角を解析するためのパターンを有する傾斜ケースと、を有し、
前記傾斜ケースの前記パターンを、前記装置側測距部の光軸に対して垂直な面に、前記装置側測距部の光軸方向前後に前記プリズムから第１の固定距離ずれる位置に設け、
前記画像撮像部にて前記パターンを撮像し、前記測量機からの視線方向に対する傾斜ケースの傾斜角を算出し、
前記プリズム撮像部で得た画像でプリズムを視準して前記測量機側測距部および前記測角部で得た前記プリズムの三次元位置、前記傾斜ケースの傾斜角、および前記装置側測距部で得た距離から、前記測定点の三次元位置を計測することを特徴とする三次元位置計測システム。
【請求項２】
前記プリズムのプリズム中心を前記装置側測距部の光軸上に設け、前記プリズムの三次元位置から、前記傾斜ケースの傾斜角から得た前記傾斜ケースの法線方向に、前記装置側測距部の基準点から前記プリズム中心までの第２の固定距離と前記装置側測距部で得た測定距離移動して、前記測定点の三次元位置を計測することを特徴とする請求項１に記載の三次元位置計測システム。
【請求項３】
前記装置側測距部の光軸に対して垂直な面で前記プリズムのプリズム中心と同一線上となる位置に前記画像撮像部で解析可能な解析マークを設け、
前記プリズム中心と前記解析マークのマーク中心を通る直線から前記装置側測距部の前記基準点をずらして設け、前記プリズム中心を原点とする前記装置側測距部の基準点のずれ量を予め求めて、
前記プリズムの三次元位置から、前記基準点のずれ量分移動して、前記傾斜ケースの傾斜角から得た前記傾斜ケースの法線方向に、前記装置側測距部で得た測定距離移動して、前記測定点の三次元位置を計測することを特徴とする請求項１に記載の三次元位置計測システム。
【請求項４】
測量機と、測定点付近にある測定点側装置と、を備え、
前記測量機は、ターゲットまでの測距を行う測量機側測距部および測角を行う測角部と、前記ターゲットを含む周囲風景を撮影する画像撮像部と、を有し、
前記測定点側装置は、前記ターゲットと、前記測定点を指し示すポインタと、前記測定点までの距離を測定する装置側測距部と、視線方向からの傾斜角を解析するためのパターンを有する傾斜ケースと、を有し、
前記傾斜ケースの前記パターンを、前記装置側測距部の光軸に対して垂直な面に、前記装置側測距部の光軸方向前後に前記ターゲットから第１の固定距離ずれる位置に設け、
前記画像撮像部にて前記パターンを撮像し、前記測量機からの視線方向に対する傾斜ケースの傾斜角を算出し、
前記画像撮像部で得た画像で前記ターゲットを視準して前記測量機側測距部および前記測角部で得た前記ターゲットの三次元位置、前記傾斜ケースの傾斜角、および前記装置側測距部で得た距離から、前記測定点の三次元位置を計測することを特徴とする三次元位置計測システム。
【請求項５】
前記ポインタは、前記装置側測距部による可視光パルスであることを特徴とする請求項１〜４のいずれかに記載の三次元位置計測システム。
【請求項６】
プリズムまたはターゲットと、測定点を指し示すポインタと、前記測定点までの距離を測定する装置側測距部と、前記装置側測距部の光軸に対して垂直な面に視線方向からの傾斜角を解析するためのパターンを有し，前記パターンを前記装置側測距部の光軸方向前後に前記プリズムまたは前記ターゲットから第１の固定距離ずれる位置に配置する傾斜ケースと、を有することを特徴とする請求項１〜５のいずれかの三次元位置計測システムに使用される測定点側装置。
【請求項７】
前記ポインタは、前記装置側測距部による可視光パルスであることを特徴とする請求項６に記載の測定点側装置。
【請求項８】
前記ターゲットのターゲット中心を前記装置側測距部の光軸上に設け、前記ターゲットの三次元位置から、前記傾斜ケースの傾斜角から得た前記傾斜ケースの法線方向に、前記装置側測距部の基準点から前記ターゲット中心までの第２の固定距離と前記装置側測距部で得た測定距離移動して、前記測定点の三次元位置を計測することを特徴とする請求項４に記載の三次元位置計測システム。
【請求項９】
前記装置側測距部の光軸に対して垂直な面で前記ターゲットのターゲット中心と同一線上となる位置に前記画像撮像部で解析可能な解析マークを設け、
前記ターゲット中心と前記解析マークのマーク中心を通る直線から前記装置側測距部の前記基準点をずらして設け、前記ターゲット中心を原点とする前記装置側測距部の基準点のずれ量を予め求めて、
前記ターゲットの三次元位置から、前記基準点のずれ量分移動して、前記傾斜ケースの傾斜角から得た前記傾斜ケースの法線方向に、前記装置側測距部で得た測定距離移動して、前記測定点の三次元位置を計測することを特徴とする請求項４に記載の三次元位置計測システム。
【発明の詳細な説明】
【技術分野】
【０００１】
本発明は、測定点の三次元位置を計測するためのシステムに関する。
【背景技術】
【０００２】
測量、計測、またはＢＩＭ（Building Information Modeling）の分野では、高反射物でないターゲットを測定点に設けて、ノンプリズム測距部を備えた測量機でターゲットを捕捉して、測定点の三次元位置を計測する手法がある。または、再帰反射型のプリズムを指示棒に既知の固定長で固定して、気泡管等を使用して指示棒の鉛直状態を確保してプリズムの三次元位置計測を行い、この計測値に対し上記の固定長分だけ鉛直下方に移動して測定点の三次元位置を計測する手法がある。後者の手法は、部屋の角など、指示棒を傾斜させなければならない場合には使用できないという作業制約があり、特許文献１では、指示棒に視線方向からの傾斜角を解析するためのパターンを有する傾斜ケースを備えることで、この問題を解消しようとしている。
【先行技術文献】
【特許文献】
【０００３】
【特許文献１】特願２０１５−０４３５３３
【発明の概要】
【発明が解決しようとする課題】
【０００４】
しかし、上記のいずれの手法も、測定点を指示するための視点は測量機にある。測量機の望遠鏡視野は限られていることから、測量機の視点位置からでは測定点を狙いにくい場合があった。また、測量機から測定点に対してレーザポインタを照射することで、作業者を測定点の近くに誘導することも可能であるが、測量機から測定点が遠くなるほど、レーザが広がり、光量も減るため、正確に指示するのは困難であった。
【０００５】
本発明は、前記問題を解決しようとするものであり、三次元位置計測の作業効率を向上させる三次元位置計測システムを提供することを目的とする。
【課題を解決するための手段】
【０００６】
上記課題を解決するために、本発明の三次元位置計測システムは、測量機と、測定点付近にある測定点側装置と、を備え、前記測量機は、プリズムまでの測距を行う測量機側測距部および測角を行う測角部と、プリズム撮像部と、プリズムを含む周囲風景を撮影する画像撮像部と、を有し、前記測定点側装置は、前記プリズムと、前記測定点を指し示すポインタと、前記測定点までの距離を測定する装置側測距部と、視線方向からの傾斜角を解析するためのパターンを有する傾斜ケースと、を有し、前記傾斜ケースの前記パターンを、前記装置側測距部の光軸に対して垂直な面に、前記装置側測距部の光軸方向前後に前記プリズムから第１の固定距離ずれる位置に設け、前記画像撮像部にて前記パターンを撮像し、前記測量機からの視線方向に対する傾斜ケースの傾斜角を算出し、前記プリズム撮像部で得た画像でプリズムを視準して前記測量機側測距部および前記測角部で得た前記プリズムの三次元位置、前記傾斜ケースの傾斜角、および前記装置側測距部で得た距離から、前記測定点の三次元位置を計測する。
【０００７】
上記態様において、ある態様の三次元位置計測システムは、前記プリズムのプリズム中心を前記装置側測距部の光軸上に設け、前記プリズムの三次元位置から、前記傾斜ケースの傾斜角から得た前記傾斜ケースの法線方向に、前記装置側測距部の基準点から前記プリズム中心までの第２の固定距離と前記装置側測距部で得た測定距離移動して、前記測定点の三次元位置を計測する。
【０００８】
上記態様において、ある態様の三次元位置計測システムは、前記装置側測距部の光軸に対して垂直な面で前記プリズムのプリズム中心と同一線上となる位置に前記画像撮像部で解析可能な解析マークを設け、前記プリズム中心と前記解析マークのマーク中心を通る直線から前記装置側測距部の前記基準点をずらして設け、前記プリズム中心を原点とする前記装置側測距部の基準点のずれ量を予め求めて、前記プリズムの三次元位置から、前記基準点のずれ量分移動して、前記傾斜ケースの傾斜角から得た前記傾斜ケースの法線方向に、前記装置側測距部で得た測定距離移動して、前記測定点の三次元位置を計測する。
【０００９】
上記態様において、前記プリズムに代えて前記傾斜ケースに前記画像撮像部で解析可能なターゲットを設け、前記プリズム撮像部を任意の構成として、前記プリズム撮像部による視準で得たプリズムの三次元位置に代えて前記画像撮像部による前記ターゲットの視準で得た前記ターゲットの三次元位置を使用して前記測定点の三次元位置を計測するのも好ましい。
【００１０】
上記態様において、前記ポインタに代えて、前記装置側測距部が可視光を出射することで前記ポインタを兼ねるのも好ましい。
【００１１】
上記態様において、プリズムと、測定点を指し示すポインタと、前記測定点までの距離を測定する装置側測距部と、前記装置側測距部の光軸に対して垂直な面に,視線方向からの傾斜角を解析するためのパターンを有し,前記パターンを前記装置側測距部の光軸方向前後に前記プリズムから第１の固定距離ずれる位置に配置する傾斜ケースと、を有する測定点側装置が使用されるのも好ましい。
【発明の効果】
【００１２】
本発明によれば、測定点側装置が有するポインタで測定点を指し示せば、自動で測定点が計測されるため、三次元位置計測の作業効率が向上する。
【図面の簡単な説明】
【００１３】
【図１】第１の実施形態に係る三次元位置計測システムの構成例を示す斜視図
【図２】図１の測量機の内部構成を示すブロック図
【図３】図１の測定点側装置の構成例の斜視図
【図４】図１の測定点側装置の内部構成を示すブロック図
【図５】第１の実施形態に係る三次元位置計測システムの計測フロー図であり、（ａ）は基本形のフロー、（ｂ）は自動追尾を行う場合のフロー
【図６】第１の実施形態に係る三次元位置を算出するフロー図
【図７】図６のイメージ図
【図８】第２の実施形態に係る測定点側装置の構成例の側面図
【図９】第２の実施形態に係る三次元位置計測システムの計測フロー図であり、（ａ）は基本形のフロー、（ｂ）は自動追を行う場合のフロー
【図１０】第３の実施形態に係る測定点側装置の構成例の側面図
【図１１】第３の実施形態に係る三次元位置を算出するためのイメージ図
【発明を実施するための形態】
【００１４】
次に、本発明の好適な実施の形態について、図面を参照して説明する。
【００１５】
（第１の実施形態）
（システム全体）
図１に示すように、三次元位置計測システム１は、測量機２と、測定点側装置４とを備える。符号Ｘは測定点を示している。測量機２は、三脚を用いて既知の点に据え付けられる。矢印ｅは測量機２の視線方向を示している。測定点側装置４は、測定点Ｘの付近にいる作業者により携帯されている。
【００１６】
（測量機）
測量機２は、自動追尾可能なモータドライブトータルステーションであり、図２に示すように、水平角検出器１１と、鉛直角検出器１２と、傾斜センサ１３と、操作部１４と、水平回転駆動部１５と、鉛直回転駆動部１６と、演算制御部１７と、記憶部１８と、通信部１９と、測量機側測距部２０と、プリズム撮像部２１と、画像撮像部２２と、表示部２３と、走査部２４と、第２の画像撮像部２５を備える。
【００１７】
測量機側測距部２０は、プリズム３を視準して赤外レーザ等の測距光を出射し、プリズム３までの測距を行う測距部である。走査部２４は、測距光とは異なる波長の赤外レーザ等の走査光を出射してプリズム３を探索走査する。水平回転駆動部１５および鉛直回転駆動部１６は、測量機側測距部２０を収容した筐体を水平および鉛直方向に回転駆動させるモータである。水平角検出器１１および鉛直角検出器１２は、ロータリーエンコーダであり、測量機側測距部２０を収容した筐体の水平方向および鉛直方向の回転角度をそれぞれ求め、視準光軸の水平角および鉛直角を求める測角部である。傾斜センサ１３は、測量機側測距部２０の筐体の傾斜を検出し水平に整準するために使用される。
【００１８】
記憶部１８には、測距測角を行う為のプログラム、操作部１４から入力される信号に基づき水平回転駆動部１５および鉛直回転駆動部１６を駆動する為のプログラム、通信を制御する為のプログラム、プリズム３の自動視準,自動追尾を行う為のプログラム、後述する画像処理プログラム、後述する測定点Ｘの三次元位置を算出するための演算プログラム等の各種プログラムが格納されている。操作部１４からは、上記プログラムに要する各種操作が行える。演算制御部１７は、上記プログラムらを実行し、各種演算および各種制御を行う。通信部１９は、測定点側装置４および外部無線機等からの信号を受信する。演算制御部１７は、外部無線機から指示された場合、測定点の方向に測量機側測距部２０を回転駆動させ、自動追尾の開始／停止等も行う。表示部２３は、各種表示や計測値等を表示する。
【００１９】
プリズム撮像部２１および画像撮像部２２は、画像信号を出力するイメージセンサであり、例えばＣＣＤやＣＭＯＳセンサ等、画素（ピクセル）の集合体で構成されている。画像撮像部２２は、プリズム３の周囲風景（プリズム３も含めた風景）を撮影する。プリズム撮像部２１は、走査光の波長のみを通すフィルタが設けられており、プリズム３によって反射された走査部２４からの走査光を受光することで、プリズム３のみを好適に撮影するように構成されている。第２の画像撮像部２５は、任意の構成要素であり、画像撮像部２２よりも広角に撮影する場合に使用される。なお、上記は測量機２の構成の一例であり、当業者の知識に基づく改変がなされてよい。
【００２０】
（測定点側装置）
測定点側装置４は、図３に示すように、装置筐体の外部に、プリズム３と、傾斜ケース５を有する。測定点側装置４は、図４に示すように、装置筐体の内部に、演算制御部１１７と、記憶部１１８と、通信部１１９と、装置側測距部１２０と、レーザポインタ１２１を備える。なお、図３では説明のために傾斜ケース５に収容されているプリズム３を実線で示している。
【００２１】
装置側測距部１２０は、レーザ光をパルス発振し、このレーザ光を受光するまでの時間差と光速により、測定点までの距離を測定するノンプリズム測距部であり、基準点（測定距離が０となる点）１２２から測定点Ｘまでの距離ＬＭが得られる。通信部１１９は、測量機２へ、上記のノンプリズム測距で得た距離値の信号を送信する。レーザポインタ１２１は、例えば可視赤色レーザ光を直線的に発生する。レーザポインタ１２１の光軸は、装置側測距部１２０の光軸１２３と一致するように構成されている。記憶部１１８には、ノンプリズム測距を行う為のプログラム、通信を行う為のプログラムが格納されている。演算制御部１１７は、上記プログラムらを実行する。
【００２２】
プリズム３は、小型化および反射光量の観点から一素子プリズムが好適であるが、入射光に対して平行な反射光を出射可能で、プリズム撮像部２１によりターゲット中心が画像解析可能なものであれば採用でき、再帰性の反射シート等も使用できる。
【００２３】
プリズム３は、装置側測距部１２０の光軸１２３方向と逆の外側面に固定されている。プリズム３のプリズム中心Ｐｃ（光学的な中心点）は光軸１２３上となるように配置されている。装置側測距部１２０の基準点１２２とプリズム中心Ｐｃ間の固定距離（以下、第２の固定距離ＬＦ２とする）は予め計測され、測量機２の記憶部１８に登録される。
【００２４】
傾斜ケース５は、解析のための解析パターン４１と、解析パターン４１を支持するケース４２とを備える。解析パターン４１は、装置側測距部１２０の光軸１２３に対して垂直な面に設けられ、光軸１２３上にプリズム中心Ｐｃから既知の距離（以下、第１の固定距離ＬＦ１とする）だけ前にずれる位置に固定されている。前後方向の記述に関しては、光軸１２３において測定点Ｘ側を後方としている。解析パターン４１は、本形態では所要のパターン幅を有する正円として形成されている。ただし、解析パターン４１は、画像解析により解析パターン４１の中心（パターン中心Ｋｃ）が求まる形状であればどのような形状であってもよい。ケース４２は、前方に開口部４３を有し、前面に解析パターン４１が形成された円柱状の中空体であり、プリズム３を中に収容する。ケース４２は、プリズム３と同じ側面に固定されている。ただし、ケース４２は、解析パターン４１をプリズム３の前後に固定できるものであれば、任意の構成でよい。
【００２５】
傾斜ケース５では、測量機２の視線方向ｅが装置側測距部１２０の光軸１２３と一致している場合は、解析パターン４１のパターン中心Ｋｃにプリズム３が位置して見える。一方、視線方向ｅが光軸１２３と一致していない場合は、プリズム３はパターン中心Ｋｃに一致せず、視線の移動方向と反対方向に移動して見える。このため、傾斜ケース５は、視線方向ｅとの傾斜角に応じて、パターン中心Ｋｃに対してプリズム３（プリズム中心Ｐｃ）の位置が変化する。よって、解析パターン４１を撮影して画像解析することにより、視線方向に対する傾斜ケース５の位置方向がわかる。これにより、次の手法から測定点Ｘの三次元位置を計測することができる。
【００２６】
（計測手法）
まず、図５を参照して、計測の概要から説明する。以下の処理は、特段の記載が無いものは測量機２の演算制御部１７にて行われる。基本は（ａ）に示すように、まずステップＳ１０で、測定点側装置４のレーザポインタ１２１で測定点Ｘを指す。次に、ステップＳ１１で、走査部２４でプリズム３を探索走査する。次に、ステップＳ１２で、プリズム撮像部２１を用いてプリズム３のみが撮影された画像から、プリズム３が自動視準できたか判断する。視準できていない場合は、ステップＳ１１に戻る。視準できた場合は、ステップＳ１３に移行し、プリズム３を測距測角し、プリズム３の三次元位置を計測する。次に、ステップＳ１４に移行し、画像撮像部２２で傾斜ケース５を撮影する。ステップＳ１３とＳ１４は同時に行われてもよい。次に、ステップＳ１５に移行し、プリズム３の三次元位置、傾斜ケース５の傾斜角、および装置側測距部１２０の計測した距離に基づき、測定点Ｘの三次元位置を計算する。次に、ステップＳ１６に移行し、表示部２３に測定点Ｘを表示して終了する。自動追尾を行う場合は、（ｂ）に示すように、まずステップＳ２０で測定点側装置４のレーザポインタ１２１で測定点Ｘを指し、ステップＳ２１でプリズム３を探索走査し、ステップＳ２２でプリズム撮像部２１を用いてプリズム３のみが撮影された画像から、プリズム３がロック（自動視準）できたか判断し、以降ステップＳ２３〜Ｓ２６はステップＳ１３〜Ｓ１６と同じである。ステップＳ２７で、自動追尾の停止が指示された場合は、ステップＳ２８に進み追尾を停止する。停止の指示がない場合は、ステップＳ２２に戻り、追尾を続ける。
【００２７】
（三次元位置の計算手法）
第１の実施形態における、図５のステップＳ１５またはＳ２５における、三次元位置計算手法について、図６、図７を参照して説明する。まず、ステップＳ１１１で、画像撮像部２２で撮影したビジュアル画像から、解析パターン４１のパターン中心Ｋｃを画像解析する（図７参照）。次に、ステップＳ１１２で、測量機側測距部２０で得たプリズム３の測距値および水平角検出器１１および鉛直角検出器１２で得たプリズム３の測角値を記憶部１８から読み出す。次に、ステップＳ１１３で、画像撮像部２２の画像でプリズム中心Ｐｃの位置とパターン中心Ｋｃの水平方向ずれ量および鉛直方向ずれ量を求める。なお、プリズム３は、プリズム撮像部２１では撮影されるが画像撮像部２２の性能次第では映らない場合がある。ただし、プリズム中心Ｐｃの三次元位置は明確に分かるので、予めプリズム３が視準されたときプリズム中心Ｐｃは画像撮像部２２の画像上でどの点に位置するかを記憶部１８に登録しておけばよい。そして、水平方向ずれ量および鉛直方向ずれ量から、傾斜ケース５（パターン中心Ｋｃ）の位置方向ベクトル（方向ベクトルＢ）を求める（図７参照）。なお、方向ベクトルとは、大きさを持たない向き情報のみを有するベクトルである。次に、ステップＳ１１４で、プリズム中心Ｐｃを中心に第１の固定距離ＬＦ１を半径とする球Ｓを演算し、球Ｓと方向ベクトルＢの交点を求める。この交点の位置情報がパターン中心Ｋｃの三次元位置である。そして、パターン中心Ｋｃ（三次元位置）とプリズム中心Ｐｃ（三次元位置）を通る直線（方向ベクトルＡ）を求める（図７参照）。方向ベクトルＡが、傾斜ケース５の傾斜方向である。次に、ステップＳ１１５で、測定点側装置４の装置側測距部１２０でノンプリズム測距を行い、装置側測距部１２０の基準点１２２から測定点Ｘまでの測定距離ＬＭを得る。なお、このステップＳ１１５は、図５のステップＳ１１〜Ｓ１５またはＳ２１〜Ｓ２５のどのタイミングで行われてもよい。次に、ステップＳ１１６で、測定点側装置４から測定距離ＬＭを通信により取得する。次に、ステップＳ１１７で、プリズム中心Ｐｃの位置（三次元位置）から、方向ベクトルＡの方向に、測定距離ＬＭに、装置側測距部１２０の基準点１２２からプリズム中心Ｐｃまでの第２の固定距離ＬＦ２加えた分移動させて、測定点Ｘの三次元位置を求める。
【００２８】
（第２の実施形態）
本形態は、第１の実施形態の変形であり、プリズム３を必須構成としない場合の形態である。第１の実施形態と同様の構成については、同一の符号を用いて説明を省略する。
【００２９】
本形態の測定点側装置４は、図８に示すように、プリズム３の位置に、プリズム３に代えて、画像撮像部２２で画像解析可能なターゲットＴが形成されている。なお、図８では説明のために傾斜ケース５に収容されているターゲットＴを実線で示している。ターゲットＴは、例えば白黒パターン等コントラストの大きい素材で形成するのが好ましい。ターゲットＴのターゲット中心Ｔｃは、光軸１２３上にとなるように配置されている。装置側測距部１２０の基準点１２２とターゲット中心Ｔｃの固定距離（第２の固定距離ＬＦ２）は予め計測され、測量機２の記憶部１８に登録される。傾斜ケース５の解析パターン４１は、光軸１２３に垂直な面に、光軸１２３上にターゲットＴから既知の距離（第１の固定距離ＬＦ１）だけずれる位置に固定されている。筐体内部の構成は図４と同様である。
【００３０】
本形態の測量機２は、プリズムをターゲットとしないため、図２の測量機側測距部２０に代えてまたは追加して、ノンプリズム測距を行う第２の測量機側測距部２０´を備える。また、図２のプリズム撮像部２１およびプリズム３を探索するための走査部２４の有無は任意となる。その他の構成は図２と同様である。これにより、次の手法から測定点Ｘの三次元位置を計測することができる。
【００３１】
（計測手法）
図９を参照して、第２の実施形態に係る計測の概要を説明する。以下の処理は、特段の記載が無いものは測量機２の演算制御部１７にて行われる。基本は（ａ）に示すように、まずステップＳ３０で、測定点側装置４のレーザポインタ１２１で測定点Ｘを指す。ステップＳ３１で、画像撮像部２２で傾斜ケース５を撮影する。次に、ステップＳ３２で、画像撮像部２２を用いて撮影された画像から、パターン中心Ｋｃを画像解析し、ターゲットＴを自動視準できたか判断する。視準できていない場合は、ステップＳ３１に戻る。視準できた場合は、ステップＳ３３に移行し、ターゲット中心Ｔｃを測距測角し、ターゲット中心Ｔｃの三次元位置を計測する。次に、ステップＳ３４に移行し、測定点Ｘの三次元位置を計算する。次に、ステップＳ３５に移行し、表示部２３に測定点Ｘを表示して終了する。自動追尾を行う場合は、（ｂ）に示すように、まずステップＳ２０で測定点側装置４のレーザポインタ１２１で測定点Ｘを指し、ステップＳ４１で、画像撮像部２２で傾斜ケース５を撮影する。次に、ステップＳ４２で、ターゲット中心Ｔｃをロック（自動視準）できたか判断し、できた場合は、ステップＳ４３に移行しターゲット中心Ｔｃを測距測角する。その他のステップＳ４４〜４７は、図５のステップＳ２５〜Ｓ２８と同じである。
【００３２】
（三次元位置の計算手法）
第２の実施形態における、図９のステップＳ３４またはＳ４４における、三次元位置計算手法は、第１の実施形態の「三次元位置の計測手法」の読み替えにより実施できる。プリズム３をターゲットＴと読み替え、プリズム中心ＰｃをターゲットＴのターゲット中心Ｔｃと読み替えれば、第１の実施形態（図６のフロー）と同様に計測することができる。
【００３３】
（第３の実施形態）
本形態は、第１の実施形態の変形であり、プリズム３のプリズム中心Ｐｃが装置側測距部１２０の光軸１２３上になくてもよい場合の形態である。第１の実施形態と同様の構成については、同一の符号を用いて説明を省略する。
【００３４】
本形態の測定点側装置４では、図１０に示すように、傾斜ケース５をプリズム３からずらし、傾斜ケース５に画像解析可能な解析マークＱを収容する。解析パターン４１は、光軸１２３に対して垂直な面で光軸１２３と平行する方向に前方に解析マークＱから第１の固定距離ＬＦ１ずれる位置に形成する。解析マークＱのマーク中心Ｑｃは、光軸１２３に対して垂直な面にプリズム中心Ｐｃと同一線上となるように配置する。その上で、装置側測距部１２０の基準点１２２は、Ｑｃ-Ｐｃを結ぶ方向を軸ｙ´と設定した場合に、プリズム中心Ｐｃから、−ｙ´方向へ固定長Ｄｙ´ずらして配置されている（図１０）。
【００３５】
（三次元位置の計算手法）
第３の実施形態における三次元位置計算手法について、図１１を参照して説明する。まず、画像撮像部２２で撮影したビジュアル画像から、解析マークＱのマーク中心Ｑｃを画像解析する。次に、プリズム３の三次元位置（プリズム中心Ｐｃの測距値および測角値）を記憶部１８から読み出す。次に、画像撮像部２２の画像でプリズム中心Ｐｃの位置とマーク中心Ｑｃの水平方向ずれ量および鉛直方向ずれ量を求め、プリズム中心Ｐｃ、マーク中心Ｑｃおよび測量機２の視点Ｅから、この三点を含む第１の平面Ａを求める（図１１参照）。次に、画像撮像部２２で撮影した画像から、解析パターン４１のパターン中心Ｋｃを画像解析する。次に、画像撮像部２２の画像上でのマーク中心Ｑｃとパターン中心Ｋｃの水平方向ずれ量および鉛直方向ずれ量を求め、パターン中心Ｋｃからマーク中心Ｋｍまでのマーク半径を求める。次に、解析パターン４１の長辺半径を画像解析する。次に、測量機２の視線方向から見た傾斜ケース５の水平方向傾斜角θｘおよび鉛直方向傾斜角θｙを求める。傾斜ケース５は、視線方向との傾斜角に応じて、解析パターン４１に対しての解析マークＱの位置が変化するため、視線方向との傾斜角の変化が、長辺半径とマーク半径で関係付けできる。この関数の一例は、日本特許公開公報２０１４−１０２２４６号にある。次に、傾斜角θｘおよびθｙより、測量機２の視線方向から見た傾斜ケース５の法線方向（方向ベクトルＡ）を求め、マーク中心Ｑｃにおいて方向ベクトルＡを法線とする第２の平面Ｂを求める（図１１参照）次に、平面Ａと平面Ｂの交線からＱｃ-Ｐｃ方向ベクトルＩを求める。次に、装置側測距部１２０で測定距離ＬＭを得る。次に、プリズム中心Ｐｃの位置（三次元位置）から、Ｑｃ-Ｐｃ方向ベクトルＩの方向へ、−Ｄｙ´移動し、さらに方向ベクトルＡの方向に、測定距離ＬＭ移動させて、測定点Ｘの三次元位置を求める。
【００３６】
なお、上記は、装置側測距部１２０の基準点１２２をＱｃ-Ｐｃ方向ベクトルＩ（軸ｙ´）方向にＤｙ´ずらした場合で説明したが、図１１に示す軸ｘ´方向にＤｘ´ずらした場合も、軸ｚ´方向にＤｚ´ずらした場合も、同様に求められる。すなわち、装置側測距部１２０の基準点１２２が、プリズム中心Ｐｃを原点にして、測定点側装置４の座標系ｘ´,ｙ´,ｚ´にて、既知のずれ量Ｄ´（Ｄｘ´, Ｄｙ´, Ｄｚ´）の位置に配置されていれば、装置側測距部１２０を任意の位置に配置しても測定点Ｘを求められる。このため、測定点側装置４の設計自由度が増す。
【００３７】
（効果）
以上、第１、第２、および第３の実施形態によれば、測定点側装置４が有するレーザポインタ１２１で測定点を指し示せば、自動で測定点Ｘの三次元位置が計測されるので、三次元位置計測の作業効率が向上する。例えば、測量機２の望遠鏡視野では測定点Ｘが狙いにくい場合であっても、障害物等により測量機２から測定点Ｘが見えない場合であっても、測定点側装置４側の視点から測定点Ｘを狙えるため、容易に計測することができる。また、従来技術のように測定点Ｘに指示棒を接触させる必要がないため、指示棒が測定点に置けない,置きにくい場合であっても、容易に計測することができる。
【００３８】
また、測量機２の視点からではなく、測定点側装置４側の視点から測定点Ｘを狙うことができるので、測定精度も向上する。
【００３９】
また、傾斜ケース５は、解析パターン４１とこれを指示するケース４２から簡易に形成できるため、非常に安価である。また、第１の固定距離ＬＦ１の距離を長くすれば、その分プリズム３の移動量が大きく見えるため、容易に感度設計が行える。
【００４０】
また、図５または図９の（ｂ）に示す自動追尾機能で連続計測することで、測定点の計測の軌跡を測定することもできる。また、その軌跡（測定点Ｘ）はデータとしてリアルタイムで記録されているため、演算制御部１７にて、軌跡の描かれた速度等の情報も取得することができる。
【００４１】
（変形例）
次に、第１〜第３の実施形態の好適な変形例について示す。
【００４２】
第１〜第３の実施形態において、測定点側装置４は、レーザポインタ１２１に代えて、装置側測距部１２０に可視光をパルス発振するものを使用するのも好ましい。これにより、装置側測距部１２０に可視光がレーザポインタを兼ねるため、光軸１２３も一致し、可視光で測定点Ｘを狙ったまま計測することが可能となる。
【００４３】
第１〜第３の実施形態において、傾斜ケース５の解析パターン４１は、光軸１２３の方向にプリズム３から第１の固定距離ＬＦ１だけ後ろにずれる位置に固定されていても、計測の手法は同様である。
【００４４】
第１〜第３の実施形態において、傾斜ケース５の背面に照明装置８を設けるのも好ましい。これにより、暗い場所であっても解析パターン４１、ターゲットＴ、マークＱが撮影できるようになるため、夜間等の計測時に有効である。
【００４５】
以上、本発明の好ましい三次元位置計測システム１について、実施の形態および変形例を述べたが、これら以外にも、各形態および各変形を当業者の知識に基づいて組み合わせることが可能であり、そのような形態も本発明の範囲に含まれる。
【符号の説明】
【００４６】
１  三次元位置計測システム
２  測量機
３  プリズム
４  測定点側装置
５  傾斜ケース
１１  水平角検出器（測角部）
１２  鉛直角検出器（測角部）
１７  演算制御部
２０,  ２０´  測量機側測距部
２１  プリズム撮像部
２２  画像撮像部
４１  パターン
１２０  装置側測距部
１２１  レーザポインタ
１２２  基準点
１２３  光軸
Ｋｃ  パターン中心
Ｐｃ  プリズム中心
Ｔ  ターゲット
Ｔｃ  ターゲット中心
Ｑ  解析マーク
Ｑｃ  マーク中心
ＬＭ  測定距離
ＬＦ１  第１の固定距離
ＬＦ２  第２の固定距離
【図１】
0006533691.tif 000002
【図２】
0006533691.tif 000003
【図３】
0006533691.tif 000004
【図４】
0006533691.tif 000005
【図５】
0006533691.tif 000006
【図６】
0006533691.tif 000007
【図７】
0006533691.tif 000008
【図８】
0006533691.tif 000009
【図９】
0006533691.tif 000010
【図１０】
0006533691.tif 000011
【図１１】
0006533691.tif 000012